(57)【要約】【課題】オゾンガス、炭酸ガス、窒素ガスを物品に接触させることにより物品の殺菌・消毒・保存を行う物品の殺菌・消毒・保存装置及び方法を提供する。【解決手段】オゾンガスと、炭酸ガス又は窒素ガス又は炭酸ガスと窒素ガスの混合ガスを供給するガス供給手段１０と、内部に物品１００を収容すると共に、前記ガス供給手段１０からのガスを内部に封入する空間を形成する物品カバー部材２０と、を備え、前記物品カバー部材２０内にオゾンガスを充填させ、その一定時間後に炭酸ガス又は窒素ガスを前記物品１００に接触させることにより、物品１００の殺菌・消毒・保存を行う。【選択図】図１
2012100721.tif 000002
【特許請求の範囲】
【請求項１】
オゾンガスと、炭酸ガス又は窒素ガス又は炭酸ガスと窒素ガスの混合ガス（以下、「ガス」という）を供給するガス供給手段と、
内部に物品を収容すると共に、前記ガス供給手段からのガスを内部に封入する空間を形成する物品カバー部材と、を備え、
前記物品カバー部材内にオゾンガスを充填させ、その一定時間後に炭酸ガス又は窒素ガスを前記物品に接触させることにより、物品の殺菌・消毒・保存を行うことを特徴する物品の殺菌・消毒・保存装置。
【請求項２】
前記物品が、書籍、衣類、骨董品、履物、家具、玩具、寝具、貴金属であることを特徴とする請求項１に記載の物品の殺菌・消毒・保存装置。
【請求項３】
前記部品カバー部材には、その中に充填された前記ガスを抜き取るためのガス除去口が備えられていることを特徴とする請求項１に記載の物品の殺菌・消毒・保存装置。
【請求項４】
前記ガス除去口には、手動ポンプ方式又は電動ポンプ方式のガス抜き装置が接続されることを特徴とする請求項３に記載の物品の殺菌・消毒・保存装置。
【請求項５】
前記物品カバー部材は、耐圧性、非通気性、非透湿性の素材から構成されることを特徴とする請求項１に記載の物品の殺菌・消毒・保存装置。
【請求項６】
前記物品カバー部材の素材は、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン又はこれらの多層体若しくは複合体により構成されていることを特徴とする請求項５に記載の物品の殺菌・消毒・保存装置。
【請求項７】
物品を収容した物品カバー部材内の空気を抜き取るステップと、
前記物品カバー部材内にオゾンガスを注入するステップと、
物品カバー部材内を所定時間の間密封して物品にオゾンガスを接触させるステップと、
物品カバー部材内のオゾンガスを抜き取るステップと、
炭酸ガス又は窒素ガスを物品カバー部材内に注入するステップと、
前記炭酸ガス又は窒素ガスを充填した状態で前記物品カバー部材を密封するステップと、
の各ステップを有する、物品の殺菌・消毒・保存を行うことを特徴とする物品の殺菌・消毒・保存方法。
【請求項８】
前記物品が、書籍、衣類、骨董品、履物、家具、玩具、寝具、貴金属であることを特徴とする請求項７に記載の物品の殺菌・消毒・保存方法。
【請求項９】
前記オゾンガスを抜くステップは、前記物品カバー部材に設けられたガス除去口に、手動ポンプ方式又は電動ポンプ方式のガス抜き装置によって前記物品カバー部材内の気圧を大気圧に対して負圧にすることにより行われることを特徴とする請求項７に記載の物品の殺菌・消毒・保存方法。
【請求項１０】
物品を収容した物品カバー部材内の空気を抜き取るステップと、
前記物品カバー内にオゾンガスを注入するステップと、
物品カバー部材内を所定時間の間密封して物品にオゾンガスを接触させるステップと、
前記オゾンガスを抜き取るステップと、
前記物品カバー部材内に炭酸ガス又は窒素ガスを充填することにより前記オゾンガスを前記物品カバー部材内から排除するステップと、
前記炭酸ガス又は窒素ガスを抜き取って前記物品カバー部材内を真空状態にするステップと、
前記物品カバー部材を密封するステップと、
の各ステップを有する、物品の殺菌・消毒・保存を行うことを特徴とする物品の殺菌・消毒・保存方法。
【請求項１１】
前記物品が、書籍、衣類、骨董品、履物、家具、玩具、寝具、貴金属であることを特徴とする請求項１０に記載の物品の殺菌・消毒・保存方法。
【請求項１２】
前記オゾンガスを抜くステップ及び前記物品カバー部材内を真空状態にするステップは、前記物品カバー部材に設けられたガス除去口に、手動ポンプ方式又は電動ポンプ方式のガス抜き装置によって前記物品カバー部材内の気圧を大気圧に対して負圧にすることにより行われることを特徴とする請求項１０に記載の物品の殺菌・消毒・保存方法。
【発明の詳細な説明】
【技術分野】
【０００１】
本発明は、オゾンガス、炭酸ガス、窒素ガスを用いて、物品を殺菌・消毒・保存する物品の殺菌・消毒・保存装置及び方法に関する。
【背景技術】
【０００２】
オゾンは、三つの酸素原子から成り、強い酸化力を持つことで知られている。このオゾンの酸化力により、オゾンは優れた殺菌、ウイルスの不活化、脱臭、漂白、有機物の除去等の効果を奏することができる。そのため、現在では様々な分野で上記した殺菌などの効果が活用されている。
【０００３】
一方、炭酸ガスは、抗菌、防腐、防虫作用を有し、バクテリア、カビ、害虫などの発生を抑制することができる。特に、殺虫剤のような毒性なしに、害虫を卵、幼虫、蛹の状態でも駆除することが可能で、農薬としても用いられている。また、窒素ガスと炭酸ガスは、例えば、高価な衣類、書籍、骨董品等の物品を冒すカビ、虫の成虫及びその卵を窒息させる（酸素を絶つことによる）ことにより、これらの物品を例えば化学薬品等によって化学反応等による変色等を生じさせることなく、有効に除去することが知られている。
【０００４】
従って、従来から、例えば書籍や骨董物を酸素に触れさせないように、炭酸ガス又は窒素ガスを充填した包装物内にこれらの物品を保管することは知られていた。
【０００５】
しかし、このような単に炭酸ガス等によって空気を遮断するだけの従来の物品の保管方法では、物品の表面や内部に付着しているカビ又は微細な虫若しくはこれらの胞子や卵がそのまま物品に付着したままであり、やがては、物品の包装内に空気（酸素）が徐々に進入し、これによって、物品の表面や内部に付着しているカビ又は微細な虫若しくはこれらの胞子や卵が息を吹き返して大量に増殖し、その結果、貴重な保管物を変色させたり、カビや虫食いによってボロボロに侵される事態を迎えていたのである。
【発明の概要】
【発明が解決しようとする課題】
【０００６】
そこで、本発明は、上記状況に鑑みてなされたものであり、化学的薬剤による殺菌処理を一切行うことなく、例えば、書籍、衣類、骨董品、履物、家具、玩具、寝具、貴金属等の物品を長期に亘って保存させるための、物品の殺菌・消毒・保存装置及びその方法を提供するものである。
【課題を解決するための手段】
【０００７】
このため、本発明は、オゾンガスと、炭酸ガス又は窒素ガス又は炭酸ガスと窒素ガスの混合ガスを供給するガス供給手段と、内部に物品を収容すると共に、前記ガス供給手段からのガスを内部に封入する空間を形成する物品カバー部材と、を備え、前記物品カバー部材内にオゾンガスを充填させ、その一定時間後に炭酸ガス又は窒素ガスを前記物品に接触させることにより、物品の殺菌・消毒・保存を行うことを特徴する物品の殺菌・消毒・保存装置を提供するものである。
【０００８】
このように、本発明においては、まず、オゾンガスにより物品の表面や内部に付着しているカビ又は微細な虫若しくはこれらの胞子や卵を殺菌消毒し、次に、炭酸ガス、窒素ガス又はこれらの混合ガスを物品に接触させることにより物品の殺菌・消毒・保存を行うようにしたのである。
【０００９】
ここで、前記物品は、例えば、書籍、衣類、骨董品、履物、家具、玩具、寝具、貴金属である。
【００１０】
ところで、前記部品カバー部材には、その中に充填された前記ガスを抜き取るためのガス除去口が備えられており、このガス除去口には、手動ポンプ方式又は電動ポンプ方式のガス抜き装置が接続される。サイズが小さい物品の保管には、部品カバー部材内のガスを手で押し出す、あるいは手動の負圧ポンプでカバー部材内から外部へガスを排除するが、サイズが大きい物品の保管の場合は、電動ポンプによってカバー部材内から外部へガスを排出する。
【００１１】
そして、物品カバー部材は、耐圧性、非通気性、非透湿性の素材から構成される袋である。そして、物品カバー部材の素材としては、例えば、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン又はこれらの素材の多層体若しくは複合体が好適である。
【００１２】
本発明は、また、物品を収容した物品カバー部材内の空気を抜き取るステップと、前記物品カバー部材内にオゾンガスを注入するステップと、物品カバー部材内を所定時間の間密封して物品にオゾンガスを接触させるステップと、物品カバー部材内のオゾンガスを抜き取るステップと、炭酸ガス又は窒素ガスを物品カバー部材内に注入するステップと、前記炭酸ガス又は窒素ガスを充填した状態で前記物品カバー部材を密封するステップと、の各ステップを有する、物品の殺菌・消毒・保存を行うことを特徴とする物品の殺菌・消毒・保存方法を提供するものである。
【００１３】
ここで、前記物品は、例えば、書籍、衣類、骨董品、履物、家具、玩具、寝具、貴金属である。
【００１４】
そして、前記オゾンガスを抜くステップは、前記物品カバー部材に設けられたガス除去口に、手動ポンプ方式又は電動ポンプ方式のガス抜き装置によって前記物品カバー部材内の気圧を大気圧に対して負圧にすることにより行われる。
【００１５】
本発明は、さらに、物品を収容した物品カバー部材内の空気を抜き取るステップと、前記物品カバー内にオゾンガスを注入するステップと、物品カバー部材内を所定時間の間密封して物品にオゾンガスを接触させるステップと、前記オゾンガスを抜き取るステップと、前記物品カバー部材内に炭酸ガス又は窒素ガスを充填することにより前記オゾンガスを前記物品カバー部材内から排除するステップと、前記炭酸ガス又は窒素ガスを抜き取って前記物品カバー部材内を真空状態にするステップと、前記物品カバー部材を密封するステップと、の各ステップを有する、物品の殺菌・消毒・保存を行うことを特徴とする物品の殺菌・消毒・保存方法を提供するものである。
【００１６】
ここで、前記物品は、例えば、書籍、衣類、骨董品、履物、家具、玩具、寝具、貴金属である。
【００１７】
そして、前記オゾンガスを抜くステップ及び前記物品カバー部材内を真空状態にするステップは、前記物品カバー部材に設けられたガス除去口に、手動ポンプ方式又は電動ポンプ方式のガス抜き装置によって前記物品カバー部材内の気圧を大気圧に対して負圧にすることにより行われるのである。
【発明の効果】
【００１８】
本発明の物品の殺菌・消毒・保存装置及び方法によれば、最初に、オゾンガスにより物品の表面や内部に付着しているカビ又は微細な虫若しくはこれらの胞子や卵を殺菌消毒し、次に、炭酸ガス、窒素ガス又はこれらの混合ガスを物品に接触させることにより物品の殺菌・消毒・保存を行うのである。これにより、物品の長期の保存を可能にしたのである。
【００１９】
このようなオゾンガス、炭酸ガス、窒素ガスを用いた殺菌・消毒・保存は、化学薬品に比べて人や環境への悪影響が少なく、且つ低コストで済むというメリットがある。
【図面の簡単な説明】
【００２０】
【図１】本発明の一実施例に係る物品の殺菌・消毒・保存装置の概略を示す模式図である。
【図２】本発明に係る本物品の殺菌・消毒・保存装置を使用する際の手順の一例を示すフローチャートである。
【図３】本発明に係る本物品の殺菌・消毒・保存装置を使用する際の手順の他の例を示すフローチャートである。
【図４】本発明の他の実施例に係る物品の殺菌・消毒・保存装置（その１）の概略を示す模式図である。
【図５】本発明の他の実施例に係る物品の殺菌・消毒・保存装置（その２）の概略を示す模式図である。
【発明を実施するための形態】
【００２１】
以下、本発明の実施の形態について、図面を参照しながら詳細に説明する。
【００２２】
図１は、本発明の一実施例に係る物品の殺菌・消毒・保存装置の概略を示す模式図である。図１に示すように、本発明の物品の殺菌・消毒・保存装置１は、オゾンガスと、炭酸ガス又は窒素ガス又は炭酸ガスと窒素ガスの混合ガス（以下、適宜、単にガスという）を供給するガス供給手段１０と、物品（ここでは例として、靴を図示）１００を収容すると共に、ガス供給手段１０から供給されたガスを内部に封入する空間を形成する物品カバー部材２０と、から構成される。
【００２３】
ここで、本発明の物品の殺菌・消毒・保存装置１を適用する「物品」とは、例えば、書籍、衣類、骨董品、履物、家具、玩具、寝具、貴金属である。
【００２４】
ガスボンベ供給手段１０は、ガスボンベ等からなり、物品カバー部材２０にオゾンガスを供給するオゾンガス供給手段１１と、炭酸ガスを供給する炭酸ガス供給手段１２、窒素ガスを供給する窒素ガス供給手段１３から構成される。これらのガス供給手段１０には、ガスの圧力調整のためのレギュレータ（図示せず）が設けられている。
【００２５】
物品カバー部材２０は、開口部２１を有し、物品１００を収容するための密封可能な袋等からなる。袋以外でも、物品を収容し密封が可能であれば箱型等であっても良い。この物品カバー部材２０は、耐圧性、非通気性素材からなり、収容する物品１００に合わせて物品全体を覆う大きさのものを用いる。素材の例としては、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン又はこれらの素材の多層体若しくは複合体が好適である。
【００２６】
ここでは、物品カバー部材２０として、物品１００である靴を収容できる袋を示しているが、さらにこの物品カバー部材２０の開口部２１には、開閉手段２４を設けている。即ち、物品１００を収容する際には開き、殺菌・消毒・保存処理の際には閉じるように構成する。例えば、ジッパーテープと呼ばれる凹状と凸状のテープを互いに嵌合させることで着脱可能な開閉具を用いるのが好適である。一方、このような開閉手段２４を設ける代わりに、開口部２１をヒートシールなどの手段で閉じても良い。
【００２７】
また、物品カバー部材２０には、内部にガスを導入するためのガス供給口２２と、物品カバー部材２０内のガスを排出、除去したりするための排出口（ガス除去口）２３とが設けられている。
【００２８】
ガス供給口２２には、ガス供給管３１が接続され、ガス供給手段１０からのガスがここから物品カバー部材２０内に供給される。ガス供給口２２の内部には、ガスの逆流を防ぐための逆止弁が設けられている。
【００２９】
また、排出口２３は、物品カバー部材２０内のガスを排出するための通気口である。排出口２３の内部にも、ガスの逆流を防ぐための逆止弁が設けられている。
【００３０】
次に、上述の本物品の殺菌・消毒・保存装置１を使用する際の手順について、図２を用いて説明する。
【００３１】
まず、物品カバー部材２０内に物品１００を収容した状態で、物品カバー部材２０内の空気を排出口２３から抜き取る（ステップＳ１）。
【００３２】
次いで、オゾン供給手段１１からオゾンガスを物品カバー部材２０内に注入する（ステップＳ２）。
【００３３】
物品カバー部材２０内にオゾンガスが適度に注入されたら、オゾンガスの供給を停止し、そのまま所定時間、密封状態を保ち、物品にオゾンガスを接触させる（ステップＳ３）。
【００３４】
次いで、物品カバー部材２０内のオゾンガスを排出口２３から抜き取る（ステップＳ４）。
【００３５】
次に、炭酸ガス供給手段１２から炭酸ガスを、又は、窒素ガス供給手段１３から窒素ガスを、あるいはこれらの混合ガスを、物品カバー部材２０内に注入する（ステップＳ５）。これにより、物品カバー部材２０内のオゾンガスが排除される。
【００３６】
物品カバー部材２０内に炭酸ガス又は窒素ガス、あるいはこれらの混合ガスが適度に注入されたら、ガスの供給を停止し、そのまま密封する（ステップＳ６）。これで物品の殺菌・消毒・保存処理が完了する。例えば取り扱う物品１００が壊れやすい物であるような場合、物品カバー部材２０内のガスが緩衝材とも成り得るため、ここでは物品カバー部材２０内から抜かずに密封する。
【００３７】
一方、省スペース等の理由から物品カバー部材２０内の炭酸ガス又は窒素ガス、あるいはこれらの混合ガスを抜いて真空にして保存することも可能である。図３にその手順を示す。
【００３８】
まず、物品カバー部材２０内に物品１００を収容した状態で、物品カバー部材２０内の空気を排出口２３から抜き取る（ステップＳ１１）。
【００３９】
次いで、オゾン供給手段１１からオゾンガスを物品カバー部材２０内に注入する（ステップＳ１２）。
【００４０】
物品カバー部材２０内にオゾンガスが適度に注入されたら、オゾンガスの供給を停止し、そのまま所定時間、密封状態を保ち、物品にオゾンガスを接触させる（ステップＳ１３）。
【００４１】
次いで、物品カバー部材２０内のオゾンガスを排出口２３から抜き取る（ステップＳ１４）。
【００４２】
次に、炭酸ガス供給手段１２から炭酸ガスを、又は、窒素ガス供給手段１３から窒素ガスを、あるいはこれらの混合ガスを、物品カバー部材２０内に注入し、物品カバー部材２０内のオゾンガスを排除する（ステップＳ１５）。物品カバー部材２０内に炭酸ガス又は窒素ガス、あるいはこれらの混合ガスが適度に注入されたら、ガスの供給を停止する。
【００４３】
次に、物品カバー部材２０内から炭酸ガス又は窒素ガス、あるいはこれらの混合ガスを、排出口２３から抜き取り、物品カバー部材２０内を真空状態にする（ステップＳ１６）。
【００４４】
次いで、物品カバー部材２０を密封する（ステップＳ１７）。これで物品の殺菌・消毒・保存処理が完了する。
【００４５】
なお、物品カバー部材２０の排出口２３には、簡単に内部のガスを抜き取るため、図４に示すようにガス抜き装置４１を設けるのが好適である。このガス抜き装置４１は、手動式のポンプ、あるいは電動式のポンプからなる。物品１００のサイズが小さい場合には、物品カバー部材２０内のガスを手で押し出しても良いが、ガス抜き装置４１として手動の負圧ポンプを用いることでより簡単に内部のガスを抜き取ることができる。物品１００のサイズが大きい場合には、電動ポンプで物品カバー部材内から外部へガスを排出するのが良い。このように、ガス抜き装置４１を用いて物品カバー部材２０内の気圧を大気圧に対して負圧にすることで、物品カバー部材２０内のガスを除去する。
【００４６】
なお、上記では、物品カバー部材２０にガス供給口２２と排出口２３とを別々に設ける例を示したが、これらを兼用することもできる。図５に示す物品の殺菌・消毒・保存装置１では、物品カバー部材２０Ａはガス供給口と排出口に代えて、両方を兼ねるガス供給及び排出口２５を備えている。この物品の殺菌・消毒・保存装置１Ａでは、物品カバー部材２０Ａへのガスの供給と排出の切り替えを、切替バルブ５１の操作により行う。そして、物品カバー部材２０Ａ内にガスを注入する際は、まずガス供給及び排出口２５から物品カバー部材２０Ａ内のガスを排出してから、切替バルブ５１を切り替えて行う。このように、ガス供給口と排出口とを兼ねた一つのガス供給及び排出口２５とすることで、物品カバー部材２０Ａの構造を簡略化、単純化することができる。
【００４７】
上記のように、本発明の物品の殺菌・消毒・保存装置及び方法によれば、最初に、オゾンガスにより物品の表面や内部に付着しているカビ又は微細な虫若しくはこれらの胞子や卵を殺菌消毒し、次に、炭酸ガス、窒素ガス又はこれらの混合ガスを物品に接触させることにより物品の殺菌・消毒・保存を行う。これにより、物品の長期の保存を可能にする。このようなオゾンガス、炭酸ガス、窒素ガスを用いた殺菌・消毒・保存は、化学薬品に比べて人や環境への悪影響が少なく、且つ低コストで済むというメリットがある。
【００４８】
なお、本発明は上記実施形態に限定されるものではなく、本発明の趣旨に基づき種々の変形が可能であり、これらを本発明の範囲から排除するものではない。
【産業上の利用可能性】
【００４９】
本発明は、オゾンガス、炭酸ガス、窒素ガスを用いて、物品を殺菌・消毒・保存する物品の殺菌・消毒・保存装置及びその方法に関するものであり、産業上の利用可能性を有する。
【符号の説明】
【００５０】
１      物品の殺菌・消毒・保存装置
１０    ガス供給手段
１１    オゾンガス供給手段
１２    炭酸ガス供給手段
１３    窒素ガス供給手段
２０    物品カバー部材
２０Ａ  物品カバー部材
２１    開口部
２２    ガス供給口
２３    排出口
２４    開閉手段
２５    ガス供給及び排出口
３１    ガス供給管
４１    ガス抜き装置
５１    切替バルブ
１００  物品
【図１】
2012100721.tif 000003
【図２】
2012100721.tif 000004
【図３】
2012100721.tif 000005
【図４】
2012100721.tif 000006
【図５】
2012100721.tif 000007